(57)【要約】【課題】フラッシュ発光部と連続点灯可能な連続発光部のそれぞれについて発光制御が可能な撮影装置を得る。【解決手段】撮影光学系によって形成された被写体像を撮像する撮像部と；上記撮像部が撮像した画像信号を記録する記録部と；プリ発光と本発光が可能なフラッシュ発光部と；プリ発光と連続発光が可能な連続発光部と；上記撮像部からの画像信号を上記記録部が保存画像として記録する撮像前にフラッシュ発光部及び連続発光部をそれぞれプリ発光させ、その後撮像中に上記フラッシュ発光部を本発光させ、上記連続発光部を連続発光させる発光制御部と；上記フラッシュ発光部のプリ発光と本発光及び連続発光部のプリ発光と連続発光の態様を組み合わせた複数の発光モードの中から一つの発光モードを選択する発光モード選択部と；を備えた撮影装置。【選択図】図４
2015191000.tif 000002
【特許請求の範囲】
【請求項１】
撮影光学系によって形成された被写体像を撮像する撮像部と；
上記撮像部が撮像した画像信号を記録する記録部と；
プリ発光と本発光が可能なフラッシュ発光部と；
プリ発光と連続発光が可能な連続発光部と；
上記撮像部からの画像信号を上記記録部が保存画像として記録する撮像前にフラッシュ発光部及び連続発光部をそれぞれプリ発光させ、その後撮像中に上記フラッシュ発光部を本発光させ、上記連続発光部を連続発光させる発光制御部と；
上記フラッシュ発光部のプリ発光と本発光及び連続発光部のプリ発光と連続発光の態様を組み合わせた複数の発光モードの中から一つの発光モードを選択する発光モード選択部と；
を備えたことを特徴とする撮影装置。
【請求項２】
請求項１記載の撮影装置において、上記撮像前に、上記フラッシュ発光部及び連続発光部の一方または双方がプリ発光したとき、または双方が消灯しているときに被写体輝度を測光する測光部と、
上記測光部が測光した被写体輝度に基づいて、上記撮像における露出値と、上記フラッシュ発光部の本発光量及び連続発光部の連続発光量を演算する演算部とをさらに備えた撮影装置。
【請求項３】
請求項１または２記載の撮影装置において、上記発光制御部を動作させる第１スイッチと、上記撮像部に撮像させる第２スイッチをさらに備えた撮影装置。
【請求項４】
請求項３記載の撮影装置において、上記発光モードは、上記第１スイッチのオン操作に応じて上記連続発光部が連続発光を開始して上記撮像終了まで連続発光を維持し、上記第２スイッチのオン操作に応じて、上記フラッシュ発光部がプリ発光して上記測光部が測光し、さらに上記フラッシュ発光部がプリ発光を終了したときに上記測光部が測光し、その後上記撮像部が撮像を開始し、この撮像中に上記フラッシュ発光部が本発光する発光モードを含む撮影装置。
【請求項５】
請求項３記載の撮影装置において、上記発光モードは、上記第２スイッチのオン操作に応じて、上記連続発光部が連続発光して上記測光部が測光し、上記連続発光部が消灯したときに上記フラッシュ発光部がプリ発光して上記測光部が測光し、上記フラッシュ発光部がプリ発光を終了したときに上記測光部が測光し、その後上記連続発光部が連続発光を開始して該連続発光中に上記撮像部が撮像を開始し、この撮像中に上記フラッシュ発光部が本発光する発光モードを含む撮影装置。
【請求項６】
請求項３記載の撮影装置において、上記発光モードは、上記第２スイッチのオン操作に応じて、上記連続発光部が連続発光を開始し、上記フラッシュ発光部がプリ発光して上記測光部が測光し、上記フラッシュ発光部がプリ発光を終了したとき上記測光部が測光し、その後上記連続発光部が連続発光している状態で上記撮像部が撮像を開始し、この撮像中に上記フラッシュ発光部が本発光する発光モードを含む撮影装置。
【請求項７】
請求項３記載の撮影装置において、上記発光モードは、上記第２スイッチのオン操作に応じて、上記連続発光部が連続発光し、該連続発光部が連続発光している状態で上記フラッシュ発光部がプリ発光して上記測光部が測光し、上記フラッシュ発光部が発光終了しかつ上記連続発光部が消灯した状態で上記測光部が測光し、その後上記連続発光部が連続発光を開始して連続発光している状態で上記撮像部が撮像を開始し、この撮像中に上記フラッシュ発光部が本発光する発光モードを含む撮影装置。
【請求項８】
請求項３記載の撮影装置において、上記発光モードは、上記第１スイッチのオン操作に応じて上記連続発光部が連続発光を開始し、上記第２スイッチのオン操作に応じて、上記連続発光部が消灯して上記フラッシュ発光部がプリ発光したときに上記測光部が測光し、上記フラッシュ発光部がプリ発光を終了したときに上記測光部が測光し、その後上記撮像部が撮像を開始し、この撮像中に上記フラッシュ発光部が本発光する発光モードを含む撮影装置。
【請求項９】
請求項２ないし８のいずれか１項記載の撮影装置において、上記演算部は、上記測光部が測光した測光値に基づいて、上記撮像における適正露出値、上記フラッシュ発光部の本発光量及び連続発光部の発光量を演算する撮影装置。
【請求項１０】
請求項２ないし９のいずれか１項記載の撮影装置において、撮影光学系の撮影距離を入力する撮影距離入力部をさらに備え、上記演算部は、上記撮影距離入力部が入力した撮影距離に応じて、上記フラッシュ発光部の本発光量と上記連続発光部の上記撮像中に連続発光する発光量の比を設定する撮影装置。
【請求項１１】
請求項３ないし１０のいずれか１項記載の撮影装置において、撮影光学系の焦点距離を入力する焦点距離入力部をさらに備え、上記演算部は、上記撮影距離入力部が入力した撮影距離と上記焦点距離入力部が入力した焦点距離により決まる撮影倍率に応じて、上記本発光における上記フラッシュ発光部の本発光量と上記連続発光部の上記撮像中に連続発光する発光量の比を設定する撮影装置。
【請求項１２】
請求項３ないし１１のいずれか１項記載の撮影装置において、上記フラッシュ装置は、フラッシュ発光部の発光方向を変更するバウンス機構を備えており、上記測光部は、複数の被写体領域を測光する分割測光センサを備えており、上記演算部は、上記発光制御部が上記フラッシュ発光部及び連続発光部をプリ発光させたとき、上記フラッシュ発光部がバウンスしているときには、複数の分割測光センサの測光値の中から測光値の差が所定値未満の測光値を抽出し、それらの平均値を被写体輝度として求める撮影装置。
【請求項１３】
請求項１ないし１２のいずれか１項記載の撮影装置において、上記発光モード選択部は、上記いずれかの発光モードを選択する操作部を備えている撮影装置。
【請求項１４】
請求項１ないし１３のいずれか１項記載の撮影装置において、上記フラッシュ発光部及び連続発光部は、カメラボディに着脱可能な外部フラッシュ装置に搭載されていて、上記外部フラッシュ装置とカメラボディとは、フラッシュ情報を授受する通信部を備えている撮影装置。
【請求項１５】
撮影光学系によって形成された被写体像を撮像する撮像部と、上記撮像部が撮像した画像信号を記録する記録部と、外部フラッシュ装置と通信する通信部と、を備えたカメラボディに接続可能なフラッシュ装置であって、
プリ発光と本発光が可能なフラッシュ発光部と；
プリ発光と連続発光が可能な連続発光部と；
上記カメラボディとの間で通信する通信部と；
上記通信部と上記カメラボディの通信部との通信によって、上記カメラボディの記録部が上記撮像部からの画像信号を記録する撮像前に、上記フラッシュ発光部のプリ発光及び上記連続発光部の連続発光をオンオフ制御し、その後撮像中に、上記連続発光部の連続発光をオンオフ制御し、上記フラシュ発光部をフラッシュ発光させる発光制御部と；
を備えたことを特徴とするフラッシュ装置。
【請求項１６】
撮影光学系によって形成された被写体像を撮像する撮像部と、上記撮像部が撮像した画像信号を記録する記録部とを備えたカメラボディと、上記カメラボディに着脱可能に形成された、フラッシュ発光部及び連続発光が可能な連続発光部を備えた外部フラッシュ装置とを備えたフラッシュ撮影システムであって、
上記カメラボディは、上記撮像部からの画像信号を上記記録部が記録する撮像前にフラッシュ発光部及び連続発光部をそれぞれプリ発光させ、その後撮像中に上記フラッシュ発光部を本発光させ連続発光部を連続発光させる発光制御部と；
上記外部フラッシュ装置のフラッシュ発光部のプリ発光と本発光及び連続発光部のプリ発光と連続発光の態様を組み合わせた複数の発光モードの中から選択する発光モード選択部と；
を備えたことを特徴とするフラッシュ撮影システム。
【発明の詳細な説明】
【技術分野】
【０００１】
本発明は、フラッシュ光及び連続点灯光を使用した撮影が可能な撮影装置、フラッシュ装置及びフラッシュ撮影システムに関する。
【背景技術】
【０００２】
従来、フラッシュ装置を使用した撮影が可能なカメラにおいて、撮像前にフラッシュ装置をプリ発光させて測光し、このときの測光結果に基づいて撮像時におけるフラッシュ装置の発光量を制御するものが知られている（特許文献１）。フラッシュ装置を一定の小光量で繰り返し発光させてフラット発光するものが知られている（特許文献１、２）。また、フラッシュ装置において、フラッシュ発光部とは別に、連続発光及び短時間でのオンオフ制御が可能な連続発光部としてＬＥＤを備え、フラッシュ発光部の光量不足をＬＥＤの発光で補うものが知られている（特許文献３）。
【先行技術文献】
【特許文献】
【０００３】
【特許文献１】特開２００２−１６９１９４号公報
【特許文献２】特開２００２−１６９２０４号公報
【特許文献３】特開２００７−１７８９２５号公報
【発明の概要】
【発明が解決しようとする課題】
【０００４】
フラッシュ装置は、短時間で大光量の照明光を発するには適しているが、小光量で連続的に発光させるのは制御が複雑になるなどの課題があった。特許文献１、２は、フラット発光のために、フラッシュ装置を繰り返し一定の小光量で発光させるので、小光量の発光制御が複雑であった。特許文献３は、連続発光が可能な光源としてＬＥＤを使用しているが、ＬＥＤはフラッシュ発光部の光量不足を補うために使用しているだけであった。
【０００５】
従来、フラッシュ発光部及び連続発光部の双方を所望のタイミング、発光態様及び発光量でプリ発光及び本発光させる撮影装置が無かった。
【０００６】
本発明は、以上の問題意識に基づき、フラッシュ発光部と連続発光（点灯）可能な連続発光部のそれぞれについて発光制御が可能な撮影装置、フラッシュ装置及びフラッシュ撮影システムを得ることを目的とする。
【課題を解決するための手段】
【０００７】
本発明は、撮影光学系によって形成された被写体像を撮像する撮像部と、上記撮像部が撮像した画像信号を記録する記録部と、プリ発光と本発光が可能なフラッシュ発光部と、プリ発光と連続発光が可能な連続発光部と、上記撮像部からの画像信号を上記記録部が保存画像として記録する撮像前にフラッシュ発光部及び連続発光部をそれぞれプリ発光させ、その後撮像中に上記フラッシュ発光部を本発光させ、上記連続発光部を連続発光させる発光制御部と、上記フラッシュ発光部のプリ発光と本発光及び連続発光部のプリ発光と連続発光の態様を組み合わせた複数の発光モードの中から一つの発光モードを選択する発光モード選択部と、を備えたことを特徴とする。
【０００８】
本発明の撮影装置は、上記撮像前に、上記フラッシュ発光部及び連続発光部の一方または双方がプリ発光したとき、または双方が消灯しているときに被写体輝度を測光する測光部と、上記測光部が測光した被写体輝度に基づいて、上記撮像における露出値と、上記フラッシュ発光部の本発光量及び連続発光部の連続発光量を演算する演算部とをさらに備えることが実際的である。
【０００９】
本発明の撮影装置は、上記発光制御部を動作させる第１スイッチと、上記撮像部に撮像させる第２スイッチをさらに備えることが実際的である。
【００１０】
上記発光モードは、上記第１スイッチのオン操作に応じて上記連続発光部が連続発光を開始して上記撮像終了まで連続発光を維持し、上記第２スイッチのオン操作に応じて、上記フラッシュ発光部がプリ発光して上記測光部が測光し、さらに上記フラッシュ発光部がプリ発光を終了したときに上記測光部が測光し、その後上記撮像部が撮像を開始し、この撮像中に上記フラッシュ発光部が本発光する発光モードを含むことが好ましい。
【００１１】
上記発光モードは、上記第２スイッチのオン操作に応じて、上記連続発光部が連続発光して上記測光部が測光し、上記連続発光部が消灯したときに上記フラッシュ発光部がプリ発光して上記測光部が測光し、上記フラッシュ発光部がプリ発光を終了したときに上記測光部が測光し、その後上記連続発光部が連続発光を開始して該連続発光中に上記撮像部が撮像を開始し、この撮像中に上記フラッシュ発光部が本発光する発光モードを含むことが好ましい。
【００１２】
上記発光モードは、上記第２スイッチのオン操作に応じて、上記連続発光部が連続発光を開始し、上記フラッシュ発光部がプリ発光して上記測光部が測光し、上記フラッシュ発光部がプリ発光を終了したとき上記測光部が測光し、その後上記連続発光部が連続発光している状態で上記撮像部が撮像を開始し、この撮像中に上記フラッシュ発光部が本発光する発光モードを含むことができる。
【００１３】
上記発光モードは、上記第２スイッチのオン操作に応じて、上記連続発光部が連続発光し、該連続発光部が連続発光している状態で上記フラッシュ発光部がプリ発光して上記測光部が測光し、上記フラッシュ発光部が発光終了しかつ上記連続発光部が消灯した状態で上記測光部が測光し、その後上記連続発光部が連続発光を開始して連続発光している状態で上記撮像部が撮像を開始し、この撮像中に上記フラッシュ発光部が本発光する発光モードを含むことができる。
【００１４】
上記発光モードは、上記第１スイッチのオン操作に応じて上記連続発光部が連続発光を開始し、上記第２スイッチのオン操作に応じて、上記連続発光部が消灯して上記フラッシュ発光部がプリ発光したときに上記測光部が測光し、上記フラッシュ発光部がプリ発光を終了したときに上記測光部が測光し、その後上記撮像部が撮像を開始し、この撮像中に上記フラッシュ発光部が本発光する発光モードを含むことができる。
【００１５】
上記演算部は、上記測光部が測光した測光値に基づいて、上記撮像における適正露出値、上記フラッシュ発光部の本発光量及び連続発光部の発光量を演算することが実際的である。
【００１６】
本発明の撮影装置にあっては、撮影光学系の撮影距離を入力する撮影距離入力部をさらに備え、上記演算部は、上記撮影距離入力部が入力した撮影距離に応じて、上記フラッシュ発光部の本発光量と上記連続発光部の上記撮像中に連続発光する発光量の比を設定することができる。
【００１７】
本発明の撮影装置にあっては、撮影光学系の焦点距離を入力する焦点距離入力部をさらに備え、上記演算部は、上記撮影距離入力部が入力した撮影距離と上記焦点距離入力部が入力した焦点距離により決まる撮影倍率に応じて、上記本発光における上記フラッシュ発光部の本発光量と上記連続発光部の上記撮像中に連続発光する発光量の比を設定することができる。
【００１８】
上記フラッシュ装置は、フラッシュ発光部の発光方向を変更するバウンス機構を備えており、上記測光部は、複数の被写体領域を測光する分割測光センサを備えており、上記演算部は、上記発光制御部が上記フラッシュ発光部及び連続発光部をプリ発光させたとき、上記フラッシュ発光部がバウンスしているときには、複数の分割測光センサの測光値の中から測光値の差が所定値未満の測光値を抽出し、それらの平均値を被写体輝度として求めることができる。
【００１９】
上記発光モード選択部は、上記いずれかの発光モードを選択する操作部を備えることが実際的である。
【００２０】
上記フラッシュ発光部及び連続発光部は、カメラボディに着脱可能な外部フラッシュ装置に搭載されていて、上記外部フラッシュ装置とカメラボディとは、フラッシュ情報を授受する通信部を備えることが実際的である。
【００２１】
本発明のフラッシュ装置は、撮影光学系によって形成された被写体像を撮像する撮像部と、上記撮像部が撮像した画像信号を記録する記録部と、外部フラッシュ装置と通信する通信部と、を備えたカメラボディに接続可能なフラッシュ装置であって、プリ発光と本発光が可能なフラッシュ発光部と、プリ発光と連続発光が可能な連続発光部と、上記カメラボディとの間で通信する通信部と、上記通信部と上記カメラボディの通信部との通信によって、上記カメラボディの記録部が上記撮像部からの画像信号を記録する撮像前に、上記フラッシュ発光部のプリ発光及び上記連続発光部の連続発光をオンオフ制御し、その後撮像中に、上記連続発光部の連続発光をオンオフ制御し、上記フラシュ発光部をフラッシュ発光させる発光制御部と、を備えたことを特徴としている。
【００２２】
本発明のフラッシュ撮影システムは、撮影光学系によって形成された被写体像を撮像する撮像部と、上記撮像部が撮像した画像信号を記録する記録部とを備えたカメラボディと、上記カメラボディに着脱可能に形成された、フラッシュ発光部及び連続発光が可能な連続発光部を備えた外部フラッシュ装置とを備えたフラッシュ撮影システムであって、上記カメラボディは、上記撮像部からの画像信号を上記記録部が記録する撮像前にフラッシュ発光部及び連続発光部をそれぞれプリ発光させ、その後撮像中に上記フラッシュ発光部を本発光させ連続発光部を連続発光させる発光制御部と、上記外部フラッシュ装置のフラッシュ発光部のプリ発光と本発光及び連続発光部のプリ発光と連続発光の態様を組み合わせた複数の発光モードの中から選択する発光モード選択部と、を備えたことを特徴とする。
【発明の効果】
【００２３】
本発明の撮影装置によれば、フラッシュ発光部と連続発光部とを備えた照明装置に接続可能であり、フラッシュ発光部と連続発光部とを所望の態様でプリ発光及び本発光させることができるので、様々な照明技術による撮影が簡単に可能になる。
【図面の簡単な説明】
【００２４】
【図１】本発明による撮影装置及びフラッシュ装置を備えた撮影システムの実施形態の外観を示す斜視図である。
【図２】本発明による撮影装置の主要回路構成の一実施形態を示すブロック回路図である。
【図３】本発明によるフラッシュ装置の主要回路構成の一実施形態を示すブロック回路図である。
【図４】（Ａ）、（Ｂ）、（Ｃ）、（Ｄ）、(Ｅ)は、本発明による撮影装置の異なる発光モードによるフラッシュ撮影動作に関するタイミングチャート例を示す図である。
【図５】本発明の撮影装置のメイン撮影動作の一例を示すフローチャートである。
【図６】本発明の撮影装置によるフラッシュ撮影動作におけるフラッシュ発光量算出処理の一例を示すフローチャートである。
【図７】本発明の撮影装置によるフラッシュ撮影動作におけるＬＥＤ発光量算出処理の一例を示すフローチャートである。
【図８】本発明の撮影装置によるフラッシュ撮影動作におけるフラッシュ及びＬＥＤ発光量算出処理の一例を示すフローチャートである。
【図９】本発明の撮影装置によるフラッシュ撮影動作におけるプリ発光測光値算出処理の一例を示すフローチャートである。
【図１０】本発明の撮影装置によるフラッシュ撮影動作におけるフラッシュ本発光量算出処理の一例を示すフローチャートである。
【発明を実施するための形態】
【００２５】
以下、図面に基づいて本発明を説明する。図１は、本発明の撮影装置を適用したデジタル一眼レフカメラの斜視図である。デジタル一眼レフカメラは、カメラボディ１０と、カメラボディ１０に着脱自在に装着された外部フラッシュとしての外部フラッシュ装置５０と、カメラボディ１０に着脱に装着された撮影レンズ１００（撮影光学系１０１）とを備えている。外部フラッシュ装置５０は、カメラボディ１０との間で直接実行する通信により発光制御される。
【００２６】
図２は、カメラボディ１０の制御系を示すブロック図である。カメラボディ１０は、カメラ全体の動作を統括的に制御する制御手段としてＣＰＵ１３を備えている。ＣＰＵ１３は、制御用プログラム等を格納したＲＯＭと、制御用データを一時的に格納するＲＡＭ１３ａを内蔵している。ＣＰＵ１３には電池１の電圧がレギュレータ２を介して定電圧Ｖｄｄとして供給される。
【００２７】
ＣＰＵ１３には、撮影に関する各種情報を表示する例えばＬＣＤなどのディスプレイ５、各種書き換え可能なパラメータ、モード等を書き込むＥＥＰＲＯＭ６、カメラボディ１０に装着される撮影レンズとの間で通信を行うためのレンズ通信インタフェース７、及びカメラボディ１０に装着された外部フラッシュとの間で通信を行うためのフラッシュ通信インタフェース８がそれぞれポート群Ｐｅ、Ｐｄ、Ｐｃ、Ｐｂを介して接続されている。
【００２８】
フラッシュ通信インタフェース８にはフラッシュ接続端子群４が接続されている。フラッシュ接続端子群４にはＣ、Ｒ、Ｑ、Ｘ、Ｇの５端子が設けられている。Ｘ端子はフォーカルプレンシャッタの先幕走行完了に同期してＸ接点信号を出力するＸ接点端子、Ｇ端子はグランド端子、Ｃ端子は外部フラッシュを制御する制御信号を出力する制御端子、Ｒ端子はクロック信号を外部フラッシュへ出力するクロック端子、Ｑはカメラボディ１０−外部フラッシュ間の双方向データ通信用と外部フラッシュへのクエンチ信号出力用の兼用端子である。フラッシュ通信インタフェース８は、外部フラッシュ装置５０との間でフラッシュ情報を授受する通信部を構成している。
【００２９】
ＣＰＵ１３には、スイッチ類として、測光スイッチＳＷＳ、レリーズスイッチＳＷＲ、メインスイッチＳＷＭ、情報設定スイッチ群９がそれぞれポートＰ２、Ｐ１、Ｐ０、ポート群Ｐａを介して接続されている。測光スイッチＳＷＳ及びレリーズスイッチＳＷＲはレリーズボタン３１（図１）に連動するスイッチであって、レリーズボタン３１の半押しによって測光スイッチＳＷＳがオンし、レリーズボタン３１の全押しによってレリーズスイッチＳＷＲがオンする。測光スイッチＳＷＳは第１スイッチを構成し、レリーズスイッチＳＷＲは第２スイッチを構成している。メインスイッチＳＷＭは、カメラボディ１０の電源スイッチ（不図示）に連動し、電源スイッチがオン位置に操作されたときにオンする。
【００３０】
情報設定スイッチ群９には、フラッシュの発光モードを選択する発光モード選択スイッチや、撮影モード情報などを選択するスイッチが含まれている。フラッシュ発光モードには、従来の自動発光モード、強制発光モード、発光禁止モード及びＡＦ補助発光モードの他に、フラッシュ発光部９２のプリ発光及び本発光と、ＬＥＤ発光部９３のプリ発光及び本発光（連続発光）の態様を組み合わせた複数の発光モードが含まれている。情報設定スイッチ群９は、複数の発光モードの中から任意の一つを選択する操作部を構成している。フラッシュ発光部９２のプリ発光は、本発光に比して小光量の発光であり、短時間発光の場合も含む。ＬＥＤ発光部９３のプリ発光は、本発光に比して短時間の連続発光（連続点灯）であり、発光強度は問わない。
【００３１】
ＣＰＵ１３には、撮影レンズ１００の撮影光学系１０１によって形成された被写体像を撮像（露出）し、画像信号に変換して出力するイメージセンサ（撮像部）１４が接続されている。イメージセンサ１４が出力した画像信号は、ＣＰＵ１３が所定の画像信号処理を施して、ディスプレイ５に表示し、メモリカード２２に記録（書き込み）する。以下、本明細書において、イメージセンサ１４が撮像し、撮像した画像信号をメモリカード２２に記録するときのイメージセンサ１４の撮像動作（露出動作）を、「撮像」とよぶ。また、いわゆるライブビューモード、モニタモードなど、イメージセンサ１４が撮像した画像をディスプレイ５に表示するだけで、メモリカード２２に記録しない場合のイメージセンサ１４の撮像動作はライブビュー撮像またはモニタ撮像である。ＣＰＵ１３及びメモリカード２２は、イメージセンサ１４が撮像した画像信号を記録する記録部を構成している。
【００３２】
ＣＰＵ１３には、装着された撮影レンズ１００の撮影距離と焦点距離をレンズ通信処理を介して入力する撮影距離入力部２５と焦点距離入力部２６が接続されている。
【００３３】
またＣＰＵ１３には、図示しないミラー駆動モータ・シャッタチャージモータ・ＡＦモータ等を駆動するモータ制御回路１５、位相差方式により被写体の焦点状態を検出するＡＦ回路１６、撮影レンズの絞りを開閉する絞り制御回路１７、シャッタ幕の走行を制御するシャッタ制御回路１８がそれぞれポート群Ｐｆ、Ｐｇ、Ｐｈ、Ｐｉ、Ｐｊを介して接続されている。
【００３４】
さらにＣＰＵ１３には、測光回路１９がポート群Ｐｋを介して接続されている。測光回路１９は、分割測光センサ２０が測光した測光信号にＡ／Ｄ変換等の処理を施してＣＰＵ１３に出力する回路である。分割測光センサ２０は、図示しないが、ファインダー光路内を通過する被写体光を受光できるように、ペンタプリズムの周辺に配置されている。この分割測光センサ２０は、９個の測光素子２０（ｎ）を有していて、各測光素子２０（ｎ）は、撮影画面全体または撮影画面の一部（中央領域）を９つの測光領域に分割した測光領域毎に被写体輝度を測光することができる。ｎは１乃至９の整数である。
【００３５】
本実施形態では、撮像前にフラッシュ発光部９２とＬＥＤ発光部９３をプリ発光させて被写体輝度を分割測光センサ２０で測光し、各測光素子２０（１）〜２０（９）の測光値に基づいて、イメージセンサ１４の露出値となる、シャッタ速度及び絞り値と、フラッシュ発光部９２及びＬＥＤ発光部９３の本発光量を算出する。この実施形態において、フラッシュ発光部９２のプリ発光は本発光よりも小光量の発光であり、ＬＥＤ発光部９３のプリ発光は、本発光よりも短時間の連続発光（短時間の連続点灯）である。ＬＥＤ発光部９３の本発光は、撮像（露出）中、全ての期間、発光状態を維持する連続発光（連続点灯）である。
【００３６】
外部フラッシュ装置５０（フラッシュ発光部９２及びＬＥＤ発光部９３）を発光／点灯させる発光モードは、測光スイッチＳＷＳ（第１スイッチ）がオンしてからレリーズスイッチＳＷＲ（第２スイッチ）がオンするまでのＬＥＤ発光部９３の発光態様及びレリーズスイッチＳＷＲがオンしてイメージセンサ１４が撮像を開始する前にフラッシュ発光部９２及びＬＥＤ発光部９３を一定の時間差でもしくは同時に、またはいずれか一方をプリ発光させるプリ発光と、その後イメージセンサ１４が撮像をするときにフラッシュ発光部９２及びＬＥＤ発光部９３の一方または双方を所定の発光態様、所定のタイミング及び所定の発光量により発光させる本発光を組み合わせたモードである。
【００３７】
ＣＰＵ１３は、イメージセンサ１４がメモリカード２２に記録する被写体像を撮像する前に、フラッシュ発光部９２及びＬＥＤ発光部９３を複数の異なる発光モード中、選択された発光モードに対応するプリ発光態様でプリ発光させ、撮像中に、対応する本発光態様で本発光させる発光制御部１３ｂと、撮影条件に応じて、発光モードを選択する発光モード選択部１３ｃとを有する。さらにＣＰＵ１３は、発光モード選択部１３ｃが選択した発光モードにより上記発光制御部１３ｂがフラッシュ発光部９２及びＬＥＤ発光部９３をプリ発光させたときに、分割測光センサ２０（測光素子２０（ｎ））から測光値を入力する測光部１３ｄと、入力した測光値（被写体輝度）に基づいて、フラッシュ発光部９２及びＬＥＤ発光部９３の上記本発光量を演算する演算部１３ｅを内蔵している。ＣＰＵ１３は、これら各発光制御部１３ｂ、発光モード選択部１３ｃ、測光部１３ｄ及び演算部１３ｄの動作並びにこれらによるカメラ機能を統括的に制御する。
【００３８】
図３は、図１に示した本撮影装置のフラッシュ装置である外部フラッシュ装置５０の制御系を示すブロック図である。外部フラッシュ装置５０は、電池、制御基板などを内蔵した本体部９１と、本体部９１の上部にフラッシュ発光部９２がバウンス機構９４を介して連結され、本体部９１の前面にＬＥＤ発光部９３が設けられ、本体部９１の下部に装着部９５が設けられていて、装着部９５を介してカメラボディ１０の上部に設けられたアクセサリーシュー２７に装着されている。外部フラッシュ装置５０（フラッシュ発光部９２）は、撮影レンズ１００の焦点距離に連動して照射角を変更できるズームフラッシュ機能を内蔵している。フラッシュ発光部９２は、バウンス機構９４を介して上下方向及び左右方向に向きを変更である。外部フラッシュ装置５０は、カメラボディ１０に装着された場合にはカメラの外部フラッシュとして機能し、カメラボディ１０に装着されない場合にはスレーブフラッシュとして機能する。
【００３９】
外部フラッシュ装置５０は、装置全体の動作を統括的に制御する制御手段としてフラッシュＣＰＵ６５を備えている。フラッシュＣＰＵ６５には、電池５１の電圧がショットキーダイオード５２及びレギュレータ５４を介して定電圧Ｖｄｄ１として供給される。電池５１の電圧はショットキーダイオード５２を介してコンデンサ５３にも供給される。
【００４０】
フラッシュＣＰＵ６５には、ズームモータ６１を駆動するモータドライブ回路６２、各種書き換え可能なパラメータ、モードを書き込むＥＥＰＲＯＭ６０、装着されたカメラボディ１０との間で通信を実行するためのカメラ通信インタフェース５９がそれぞれポート群Ｐｂ、Ｐｃ、Ｐｄを介して接続されている。カメラ通信インタフェース５９は、装着されたカメラボディ１０のフラッシュ通信インタフェース８との間でフラッシュ情報を授受する通信部を構成している。
【００４１】
ズームモータ６１は、発光ユニット５５を移動させる駆動手段として機能する。発光ユニット５５は、キセノン管８２、リフレクタ５５ｃ、保護ガラス５５ｂを一体化させて形成したものである。ズームモータ６１により発光ユニット５５を移動させると、発光ユニット５５とフレネルレンズ５５ａの間隔が変化し、フラッシュ光の照射角が変化する。これらの発光ユニット５５、ズームモータ６１及びフレネルレンズ５５ａは、フラッシュ発光部９２に内蔵され、フラッシュ発光部９２を構成している。
【００４２】
フラッシュＣＰＵ６５には、ＬＥＤ駆動回路７０がポートＰｆを介して接続されている。ＬＥＤ駆動回路７０には白色高輝度のＬＥＤ７１が接続されている。ＬＥＤ７１は、１個または複数からなる。ＬＥＤ駆動回路７０は、発光モードに応じたフラッシュＣＰＵ６５の制御下で、ＬＥＤ７１を発光制御する。ＬＥＤ７１は、ＬＥＤ発光部９３を構成している。
【００４３】
カメラ通信インタフェース５９はカメラ接続端子５６を備えている。カメラ接続端子５６はＣ、Ｒ、Ｑ、Ｘ、Ｇの５端子で構成される。外部フラッシュ装置５０が装着部９５を介してカメラボディ１０のアクセサリーシュー２７に装着されているとき、Ｃ、Ｒ、Ｑ、Ｘ、Ｇの５端子はカメラボディ１０のＣ、Ｒ、Ｑ、Ｘ、Ｇの５端子と電気的に接続される。Ｃ端子はカメラボディ１０から制御信号を入力する制御端子、Ｒ端子はカメラボディ１０からのクロック信号を入力するクロック端子、Ｑ端子はカメラボディ１０−フラッシュ間の双方向データ通信用とクエンチ信号入力用の兼用端子、Ｘ端子はカメラボディ１０のＸ端子からＸ接点信号を入力する端子、Ｇ端子はグランド端子である。カメラ接続端子５６のＣ、Ｒ、Ｑ端子は、それぞれフラッシュＣＰＵ６５のポート群ＰｄのＰｄ１、Ｐｄ２、Ｐｄ３に接続されている。
【００４４】
外部フラッシュ装置５０が装着部９５を介してカメラボディ１０のアクセサリーシュー２７に装着されているとき、カメラ接続端子５６のＣ、Ｒ、Ｑ端子は、それぞれフラッシュＣＰＵ６５のポート群ＰｄのＰｄ１、Ｐｄ２、Ｐｄ３に接続される。フラッシュＣＰＵ６５は、Ｃ端子、Ｒ端子、Ｑ端子を介してカメラボディ１０のＣＰＵ１３との間でカメラ−フラッシュ通信を実行する。Ｘ端子は、ポートＰｄ４に接続され、カメラボディ１０からＸ接点端子信号を受信する。
【００４５】
フラッシュＣＰＵ６５には、スイッチ類として、情報設定スイッチ群６３、メインスイッチ６４が接続されている。メインスイッチ６４はスライドスイッチであって、ＯＦＦ位置とＯＮ位置で停止する構成である。
【００４６】
情報設定スイッチ群６３は、ポート群Ｐａを介してフラッシュＣＰＵ６５に接続されている。情報設定スイッチ群６３には、発光モード要求設定スイッチ、調光モード要求設定スイッチ、シンクロ要求設定スイッチ、ワイヤレスモード設定スイッチ、システム切替スイッチ等が含まれている。発光モード要求設定スイッチは、カメラボディ１０から発光モードに応じた発光コマンド、発光量データなどを通信により受けたとき、その要求に応じてフラッシュ発光部９２、ＬＥＤ発光部９３を発光動作させるか否かを設定するスイッチである。
【００４７】
フラッシュＣＰＵ６５には、ワイヤレス受光素子５７の出力を処理するワイヤレス受光回路５８、調光確認情報など各種情報を表示するＬＣＤ表示器７２がそれぞれポート群Ｐｅ、Ｐｇを介して接続されている。ワイヤレス受光素子５７は、外部フラッシュ装置５０がスレーブフラッシュとして機能する場合に、内蔵フラッシュまたは外部フラッシュの発光を受光するための素子である。
【００４８】
またフラッシュＣＰＵ６５には、電池５１の電圧を昇圧する昇圧回路６６がポートＰ２を介して接続されていて、充電検出回路６９のＲＬＳ出力端子がＡ／Ｄ変換ポートＰａｄを介して接続されている。昇圧回路６６によって昇圧された電圧は、ダイオード６７を介してメインコンデンサ７９に供給されるとともに、ダイオード６８を介して充電検出回路６９へ供給される。充電検出回路６９は、昇圧回路６６が作動しているときのみ、メインコンデンサ７９の端子電圧ＨＶと同等の電圧ＨＶ´を入力し、メインコンデンサ７９の充電電圧を検出する。
【００４９】
またフラッシュＣＰＵ６５には、３０Ｖ発生回路７７、レベルシフト回路７８、トリガ回路８０がそれぞれポートＰ４、Ｐ５、Ｐ３を介して接続されている。３０Ｖ発生回路７７は、メインコンデンサ７９の端子電圧ＨＶを電源として３０Ｖｏｕｔ端子から３０Ｖの電圧を発生する回路である。３０Ｖ発生回路７７から出力された３０Ｖの電圧はレベルシフト回路７８に与えられる。レベルシフト回路７８は、ポートＰ５（ＩＧＢＴｃｔｌ信号）が"１"のとき、３０Ｖ発生回路７７から与えられた３０Ｖの電圧をＩＧＢＴ８３のゲートＩＧＢＴｇに印加し、ＩＧＢＴ８３をオンする。一方、ポートＰ５が"０"のとき、ゲートＩＧＢＴｇへの電圧印加を止めてＩＧＢＴ８３をオフする。トリガ回路８０は、キセノン管８２のトリガ電極ＸｅＴ端子に高圧の振動電圧を印加し、キセノン管８２内のキセノンガスを励起状態とする。この励起状態において、ＩＧＢＴ８３がオンしている場合はメインコンデンサ７９の蓄積電荷がコイル８１、キセノン管８２、ＩＧＢＴ８３を介して放電され、キセノン管８２が発光する。
【００５０】
さらにフラッシュＣＰＵ６５には、コンパレータ７５の非反転入力端子がＤ／Ａ変換ポートＰｄａを介して接続され、コンデンサ７３、抵抗７４がそれぞれポートＰ６、Ｐ７に接続されている。コンデンサ７３と抵抗７４の接続点はコンパレータ７５の反転入力端子に接続されている。コンパレータ７５の反転入力端子には、さらに発光量検出測光素子８５が接続されている。発光量検出測光素子８５は、発光ユニット５５の保護ガラス５５ｂを介してキセノン管８２の発光を直接受光できる位置に設けられていて、キセノン管８２から発せられた光を受光するとその受光量に対応する光電流を出力する。コンパレータ７５は、Ｄ／Ａ変換ポートＰｄａから入力した所定の電圧ＦＰｌｖｌと発光量検出測光素子８５の出力に対応する電圧ＰＤｆｌとを比較し、電圧ＰＤｆｌが所定の電圧ＦＰｌｖｌ以下のときは"０"を、電圧ＰＤｆｌが所定の電圧ＦＰｌｖｌを超えているときは"１"を出力する。コンパレータ７５の出力は抵抗７６を介してレベルシフト回路７８に与えられる。レベルシフト回路７８は、ポートＰ５が入力モードに設定されているとき、コンパレータ７５の出力をＩＧＢＴｃｔｌ信号として入力し、ＩＧＢＴ８３をオン／オフして、キセノン管８２のフラッシュ発光をオン／オフ制御し、オフのタイミングによって発光量を調整する。
【００５１】
本カメラボディ１０が外部フラッシュ装置５０のフラッシュ発光部９２とＬＥＤ発光部９３をプリ発光及び本発光させてフラッシュ撮影する撮影動作について、図４に示したタイミングチャートと、図５乃至図１０に示したフローチャートを参照して説明する。本発明のカメラボディ１０は、複数の異なる発光モードとして、発光モードＡ乃至Ｅの５種類を有している。
【００５２】
図４（Ａ）は、発光モードＡのタイミングチャートを示している。発光モードＡは、ＬＥＤ発光部９３を測光スイッチＳＷＳがオンしてからプリ発光前まで点灯させてＡＦ補助光効果を得るとともに、フラッシュ発光部９２を撮像中に発光させるモードである。
【００５３】
カメラボディ１０は、測光スイッチＳＷＳがオンすると、外部フラッシュ装置５０と通常フラッシュ通信して、ＬＥＤ点灯コマンドを外部フラッシュ装置５０に通信し、外部フラッシュ装置５０がＬＥＤ発光部９３を点灯する。
【００５４】
レリーズスイッチＳＷＲがオンすると（レリーズボタン３１が全押しされると）、カメラボディ１０から外部フラッシュ装置５０にＬＥＤ消灯コマンドとフラッシュプリ発光トリガが露出直前フラッシュ通信により送信される。外部フラッシュ装置５０はＬＥＤ発光部９３を消灯（発光を停止）し、フラッシュ発光部９２をプリ発光する。カメラボディ１０は、フラッシュ発光部９２のプリ発光に同期して測光し、その後フラッシュ発光部９２及びＬＥＤ発光部９３が発光していない状態で測光（定常光測光）する。そしてカメラボディ１０は、ＬＥＤ発光部９３を点灯していない状態におけるフラッシュ光による被写体輝度成分を算出し、適正露出となるシャッタ速度（露出時間）Ｔｖ及び絞り値Ａｖとフラッシュ本発光の発光量を演算する。露出時間Ｔｖ及び絞り値Ａｖはアペックス表示の値である。
【００５５】
そしてカメラボディ１０は、演算した本発光量をミラーアップ中フラッシュ通信により外部フラッシュ装置５０に送信するとともに、モータ制御回路１５によりミラーモータを駆動してミラーアップを開始し、絞り制御回路１７により撮影レンズ１００の絞りを演算した絞り値Ａｖに絞り込む。
【００５６】
カメラボディ１０は、ミラーアップが完了したとき、外部フラッシュ装置５０に本発光準備要求コマンドをシャッタ制御直前フラッシュ通信により送信する。さらにカメラボディ１０は、シャッタ制御回路１８によりシャッタ先幕の走行を開始させるとともに、イメージセンサ１４に撮像を開始させる。カメラボディ１０は、外部フラッシュ装置５０にシャッタ先幕が走行を完了したときＸ接点信号を出力する。外部フラッシュ装置５０は、フラッシュ発光部９２を本発光量により本発光させる。カメラボディ１０は、シャッタ速度（露出時間）Ｔｖが経過したときシャッタ制御回路１８によりシャッタ後幕を走行させて、露出を終了する。
【００５７】
カメラボディ１０は、シャッタ後幕が走行を完了したら、モータ制御回路１５によりミラーモータを駆動してミラーをダウンし、イメージセンサ１４が撮像した画像信号を読み出し、所定の画像処理を施してメモリカード２２に書き込む。
【００５８】
また、カメラボディ１０は、外部フラッシュ装置５０にＬＥＤ再点灯要求をフラッシュ通信により通信し、外部フラッシュ装置５０はＬＥＤ発光部９３を再点灯する。
【００５９】
図４（Ｂ）は、発光モードＢのタイミングチャートを示している。発光モードＢは、ＬＥＤ発光部９３を測光スイッチＳＷＳがオンしている間、撮像中も連続点灯させて、撮影前のＡＦ補助光効果と撮像中の光量アップ効果を得るモードである。フラッシュ発光部９２は、撮像中に発光させる。
【００６０】
測光スイッチＳＷＳがオンすると、カメラボディ１０は外部フラッシュ装置５０と通常フラッシュ通信して、ＬＥＤ点灯コマンドを外部フラッシュ装置５０に送信し、外部フラッシュ装置５０がＬＥＤ発光部９３を点灯する。
【００６１】
レリーズスイッチＳＷＲがオンすると、カメラボディ１０は外部フラッシュ装置５０にフラッシュプリ発光のトリガを露出直前フラッシュ通信により送信する。外部フラッシュ装置５０は、ＬＥＤ発光部９３を点灯している状態で、フラッシュ発光部９２をプリ発光する。カメラボディ１０は、フラッシュ発光部９２のプリ発光に同期して測光し、その後プリ発光が終了した後ＬＥＤ発光部９３が点灯している状態で測光（定常光測光）し、フラッシュ光による被写体輝度成分を算出して、ＬＥＤ発光部９３が点灯している状態で適正露出となるシャッタ速度（露出時間）Ｔｖ及び絞り値Ａｖとフラッシュ本発光の発光量を演算する。
【００６２】
そしてカメラボディ１０は、モータ制御回路１５によりミラーモータを駆動してミラーアップを開始し、絞り制御回路１７により撮影レンズ１００の絞りを演算した絞り値Ａｖに絞り込むとともに、外部フラッシュ装置５０に演算した本発光量をミラーアップ中フラッシュ通信により送信する。さらにカメラボディ１０は、外部フラッシュ装置５０に本発光準備要求コマンドをシャッタ制御直前フラッシュ通信により送信する。
【００６３】
カメラボディ１０は、ミラーアップが完了したとき、シャッタ制御回路１８によりシャッタ先幕の走行を開始させるとともに、イメージセンサ１４に撮像を開始させる。カメラボディ１０は、シャッタ先幕が走行を完了したときＸ接点信号を外部フラッシュ装置５０に出力する。外部フラッシュ装置５０は、Ｘ接点信号に同期してフラッシュ発光部９２を本発光量により本発光する。カメラボディ１０は、シャッタ速度（露出時間）Ｔｖが経過したときシャッタ制御回路１８によりシャッタ後幕を走行させて、露出を終了する。
【００６４】
カメラボディ１０は、シャッタ後幕が走行を完了したら、モータ制御回路１５によりミラーモータを駆動してミラーをダウンし、イメージセンサ１４が撮像した画像信号を読み出し、所定の画像処理を施してメモリカード２２に書き込む。
【００６５】
カメラボディ１０は、外部フラッシュ装置５０にＬＥＤ点灯要求コマンドをフラッシュ通信により通信し、外部フラッシュ装置５０は、ＬＥＤ発光部９３の点灯を継続する。カメラボディ１０は、測光スイッチＳＷＳがオフするまで、ＬＥＤ発光部９３の点灯を継続させる。
【００６６】
図４（Ｃ）は、発光モードＣのタイミングチャート示している。発光モードＣは、ＬＥＤ発光部９３をレリーズスイッチＳＷＲがオンしたとき露出直前に点灯させて露出中から露出終了まで連続点灯させて、ＬＥＤ光によりキャッチライト効果と光量アップ効果を得るモードである。
【００６７】
カメラボディ１０は、測光スイッチＳＷＳがオンすると、カメラボディ１０は外部フラッシュ装置５０と通常フラッシュ通信するが、この通信内容にＬＥＤ発光部９３の点灯に関するコマンドは含まれない。
【００６８】
カメラボディ１０は、レリーズスイッチＳＷＲがオンすると、外部フラッシュ装置５０にＬＥＤ点灯コマンドとフラッシュプリ発光のトリガを露出直前フラッシュ通信により送信する。外部フラッシュ装置５０は、ＬＥＤ発光部９３を点灯し、フラッシュ発光部９２をプリ発光する。カメラボディ１０は、フラッシュ発光部９２のプリ発光に同期して測光し、プリ発光が終了した後ＬＥＤ発光部９３が点灯している状態で測光（定常光測光）し、フラッシュ光による被写体輝度成分を算出して、ＬＥＤ発光部９３が点灯している状態で適正露出となるシャッタ速度（露出時間）Ｔｖ及び絞り値Ａｖとフラッシュ本発光の発光量を演算する。
【００６９】
そしてカメラボディ１０は外部フラッシュ装置５０に、演算した本発光量をミラーアップ中フラッシュ通信により送信するとともに、モータ制御回路１５によりミラーモータを駆動してミラーアップを開始し、絞り制御回路１７により撮影レンズ１００の絞りを演算した絞り値Ａｖに絞り込む。さらにカメラボディ１０は、外部フラッシュ装置５０に本発光準備要求コマンドをシャッタ制御直前フラッシュ通信により送信する。
【００７０】
カメラボディ１０は、ミラーアップが完了したとき、シャッタ制御回路１８によりシャッタ先幕の走行を開始させるとともに、イメージセンサ１４に撮像を開始させる。カメラボディ１０は、シャッタ先幕が走行を完了したときＸ接点信号を外部フラッシュ装置５０に出力する。外部フラッシュ装置５０は、Ｘ接点信号に同期してフラッシュ発光部９２を本発光量により本発光させる。カメラボディ１０は、シャッタ速度（露出時間）Ｔｖが経過したときシャッタ制御回路１８によりシャッタ後幕を走行させて、露出を終了する。
【００７１】
カメラボディ１０は、シャッタ後幕が走行を完了したら、モータ制御回路１５によりミラーモータを駆動してミラーをダウンし、イメージセンサ１４が撮像した画像信号を読み出し、所定の画像処理を施してメモリカード２２に書き込む。
【００７２】
その後カメラボディ１０は、外部フラッシュ装置５０にＬＥＤ消灯要求をフラッシュ通信により通信する。外部フラッシュ装置５０は、ＬＥＤ消灯要求コマンドの通信を受けて、ＬＥＤ発光部９３を消灯する。
【００７３】
図４（Ｄ）は、発光モードＤのタイミングチャートを示している。発光モードＤは、ＬＥＤ発光部９３をプリ点灯及び露出中点灯させて、ＬＥＤ光によりキャッチライト効果と光量アップ効果を得るモードである。
【００７４】
カメラボディ１０は、測光スイッチＳＷＳがオンすると、外部フラッシュ装置５０と通常フラッシュ通信するが、この通信内容にＬＥＤ発光部９３の点灯に関するコマンドは含まれない。
【００７５】
カメラボディ１０は、レリーズスイッチＳＷＲがオンすると、外部フラッシュ装置５０にＬＥＤプリ発光とフラッシュプリ発光のトリガ（１）を露出直前フラッシュ通信により送信する。外部フラッシュ装置５０は、ＬＥＤ発光部９３をプリ点灯し、フラッシュ発光部９２をプリ発光する。カメラボディ１０は、フラッシュ発光部９２のプリ発光に同期して測光し、プリ発光が終了した後ＬＥＤ発光部９３が消灯してから測光（定常光測光）し、ＬＥＤ光とフラッシュ光による被写体輝度成分を算出して、適正露出となる露出値（シャッタ速度（露出時間）Ｔｖ及び絞り値Ａｖ）と、ＬＥＤ本発光の発光量とフラッシュ本発光の発光量を演算する。
【００７６】
そしてカメラボディ１０は、モータ制御回路１５によりミラーモータを駆動してミラーアップを開始し、絞り制御回路１７により撮影レンズ１００の絞りを演算した絞り値Ａｖに絞り込むとともに、外部フラッシュ装置５０に、演算したＬＥＤ本発光の発光量とフラッシュ本発光の発光量をミラーアップ中フラッシュ通信により送信する。
【００７７】
カメラボディ１０は、ミラーアップが完了したとき、外部フラッシュ装置５０にＬＥＤ及びフラッシュ本発光準備要求コマンドをシャッタ制御直前フラッシュ通信により送信する。外部フラッシュ装置５０は、このコマンドを受けて、ＬＥＤ発光部９３を通信により受けた発光量で点灯させる。ミラーアップが完了したときから後のその他の動作は、発光モードＣの場合と同一である。
【００７８】
図４（Ｅ）は、発光モードＥのタイミングチャートを示している。発光モードＥは、ＬＥＤ発光部９３を露出中に点灯させて、撮影時にキャッチライト効果と光量アップ効果を得るモードである。発光モードＥは、フラッシュ発光部９２とＬＥＤ発光部９３を単独でプリ点灯、プリ発光させてプリ点灯時とプリ発光時に測光する点が、フラッシュ発光部９２及びＬＥＤ発光部９３を同時にプリ点灯、プリ発光させて測光する発光モードＤと異なる。
【００７９】
測光スイッチＳＷＳがオンすると、カメラボディ１０は外部フラッシュ装置５０と通常フラッシュ通信するが、ＬＥＤ発光部９３の点灯に関するコマンドは含まれない。
【００８０】
レリーズスイッチＳＷＲがオンすると、カメラボディ１０は外部フラッシュ装置５０に、ＬＥＤプリ点灯とフラッシュプリ発光のトリガ（２）を露出直前フラッシュ通信により送信する。外部フラッシュ装置５０は、ＬＥＤ発光部９３を一定時間プリ点灯し、カメラボディ１０はこのプリ点灯中に測光する。外部フラッシュ装置５０は、ＬＥＤ発光部９３を消灯させると、この消灯に同期させてフラッシュ発光部９２をプリ発光させる。カメラボディ１０は、フラッシュ発光部９２のプリ発光に同期して測光し、さらにフラッシュ発光部９２が消灯してから測光（定常光測光）する。以上の測光動作により、環境光のみによる被写体輝度と、ＬＥＤ光による被写体輝度成分とフラッシュ光による被写体輝度成分を正確に求めることができる。カメラボディ１０は、適正露出となる露出値（シャッタ速度Ｔｖ及び絞り値Ａｖ）と、ＬＥＤ本発光の発光量とフラッシュ本発光の発光量を演算する。
【００８１】
そしてカメラボディ１０は、モータ制御回路１５によりミラーモータを駆動してミラーアップを開始し、絞り制御回路１７により撮影レンズ１００の絞りを演算した絞り値Ａｖに絞り込むとともに、外部フラッシュ装置５０に、演算したＬＥＤ本発光量とフラッシュ本発光量をミラーアップ中フラッシュ通信により送信する。
【００８２】
カメラボディ１０は、ミラーアップが完了したとき、外部フラッシュ装置５０にＬＥＤとフラッシュ本発光準備要求コマンドをシャッタ制御直前フラッシュ通信により送信する。外部フラッシュ装置５０は、このコマンドを受けて、ＬＥＤ発光部９３を通信により受けた発光量（発光強度）で点灯させる。ミラーアップが完了したときから後のその他の動作は、発光モードＣ及びＤの場合と同一である。
【００８３】
以上、カメラボディ１０に外部フラッシュ装置５０及び撮影レンズ１００を装着したカメラシステムにおけるフラッシュ撮影動作について、図６乃至図１０を参照してより詳細に説明する。図６は、本カメラボディ１０の撮影動作のメイン処理に関するフローチャートである。以下の処理は、ＣＰＵ１３の統括的な制御下で、ＣＰＵ１３と、発光制御部１３ｂ、発光モード選択部１３ｃ、測光部１３ｄ及び演算部１３ｅの連係により実行される処理である。カメラボディ１０に電池１が装填されると、ＣＰＵ１３はリセット動作した後、メイン処理に入る。ＣＰＵ１３は、メイン処理に入ると先ず、各ポートを初期化し（Ｓ１００）、ＥＥＰＲＯＭ６０とのシリアル通信を実行してＥＥＰＲＯＭ６０の初期データを読み込み（Ｓ１０１）、メインスイッチＳＷＭがオンしているか否かをチェックする（Ｓ１０２）。
【００８４】
ＣＰＵ１３は、メインスイッチＳＷＭがオンしていないとき（Ｓ１０２：ＮＯ）、メインスイッチオフ処理を実行し（Ｓ１０６）、表示素子５の表示を消灯する（Ｓ１０７）。メインスイッチオフ処理では、レギュレータ２の昇圧、定電圧供給動作を停止させるほか、内蔵フラッシュ充電中であれば充電を停止する。そして、メインスイッチＳＷＭの割り込みを許可し（Ｓ１０８）、スリープ状態へ移行する（Ｓ１０９）。このスリープ状態では、メインスイッチＳＷＭの割り込みが許可されているため、メインスイッチＳＷＭが再度オンすると割り込みが発生し、ステップＳ１００に戻ってメイン処理を開始する。
【００８５】
ＣＰＵ１３（発光モード選択部１３ｃ）は、メインスイッチＳＷＭがオンしているとき（Ｓ１０２：ＹＥＳ）、情報設定スイッチ群９の各スイッチ状態に基づいて、発光モード（Ａ）乃至（Ｅ）と各種モード・機能等を選択し（Ｓ１０３）、選択した発光モード（Ａ）乃至（Ｅ）、各モード・機能などの撮影に関する情報を表示素子５に表示させる（Ｓ１０４）。
【００８６】
続いてＣＰＵ１３は、測光スイッチＳＷＳまたはレリーズスイッチＳＷＲがオンしているか否かをチェックし（Ｓ１１０）、測光スイッチＳＷＳ及びレリーズスイッチＳＷＲがいずれもオンしていなかったときはメインスイッチオン処理を実行する（Ｓ１１０：ＮＯ、Ｓ１１６）。メインスイッチオン処理では、内蔵フラッシュ充電中でなければレギュレータ２の動作を停止する等の処理を行う。そしてＣＰＵ１３は、１２５ｍｓのタイマーＡをスタートさせ（Ｓ１１７）、タイマーＡの割り込みを許可し（Ｓ１１８）、スリープ状態へ移行する（Ｓ１１９）。ステップＳ１１９のスリープ状態では、タイマーＡの割り込みが許可されているため、タイマーＡがタイムアップしたら割り込みが発生し、ステップＳ１０２から処理が続行される。したがって、メインスイッチＳＷＭがオンしていて、測光スイッチＳＷＳ及びレリーズスイッチＳＷＲのいずれもがオフしている状態では、上記ステップＳ１０２〜Ｓ１１０、ステップＳ１１６〜Ｓ１１９の処理が１２５ｍｓに１回実行される。
【００８７】
ＣＰＵ１３は、ステップＳ１１０のスイッチチェックで測光スイッチＳＷＳ及びレリーズスイッチＳＷＲのいずれかがオンしていると判定したとき（Ｓ１１０：ＹＥＳ）、レンズ通信インタフェース７を介して撮影レンズ１００とレンズ通信を実行してレンズ情報を読み込む（Ｓ１１２）。ステップＳ１１２で読み込むレンズ情報としては、開放Ｆ値情報Ａｖｍｉｎ、測光補正情報Ａｖｃ、焦点距離情報ｆ、撮影距離情報Ｄｖ等がある。開放Ｆ値情報Ａｖｍｉｎ、測光補正情報Ａｖｃ、撮影距離情報Ｄｖはアペックス表示の値である。
【００８８】
続いて、ＣＰＵ１３（発光制御部１３ｂ）は、フラッシュ接続端子群４を介してカメラボディ１０に接続された外部フラッシュ装置５０との間でフラッシュ通信を行う（Ｓ１１３）。このフラッシュ通信により、外部フラッシュ装置５０からＦＣ情報（フラッシュ情報）を入力する一方、外部フラッシュ装置５０へＣＦ情報（フラッシュ制御情報）を出力する。ＦＣ情報としては、フラッシュの機能、ガイドナンバー、充電状態、ＬＥＤ発光部の有無、照射角、バウンスの有無等の情報があり、ＣＦ情報としては、選択された発光モードに対応する発光態様、発光量及び発光コマンド等がある。発光モードＡまたはＢが選択されていた場合、ＣＦ情報にＬＥＤ点灯コマンドが含まれる。つまり、発光モードＡまたはＢが選択されていた場合、ＬＥＤ点灯コマンドを受信した外部フラッシュ装置５０は、ＬＥＤ発光部９３を点灯（連続発光）させる。発光モードＣ乃至Ｅが選択されていた場合、ＣＦ情報にＬＥＤ点灯コマンドが含まれないので、外部フラッシュ装置５０はＬＥＤ発光部９３を点灯させない。
【００８９】
ＣＰＵ１３は、位相差方式のＡＦ回路１６から被写体像のビデオ信号を入力してデフォーカス量を演算し、モータ制御回路１５を介してＡＦモータ（不図示）を駆動して撮影レンズ１００の焦点調節レンズ群（不図示）を合焦位置まで移動させるＡＦ処理を実行する（Ｓ１１４）。ＣＰＵ１３は、ＡＦ処理を実行したら、測光回路１９から分割測光センサ２０の出力に対応する測光信号を入力し、入力した測光信号や撮影モード情報、レンズ情報（開放Ｆ値情報Ａｖｍｉｎ）等に基づいて適正シャッタ速度Ｔｖ及び絞り値Ａｖを算出するＡＥ処理を実行する（Ｓ１１５）。
【００９０】
ＣＰＵ１３は、レリーズスイッチＳＷＲがオンしているか否かをチェックし（Ｓ１２０）、レリーズスイッチＳＷＲがオンしていないとき（Ｓ１２０：ＮＯ）、ステップＳ１０２に戻る。レリーズスイッチＳＷＲがオンしているとき（Ｓ１２０：ＹＥＳ）、ＣＰＵ１３（発光制御部１３ｂ）は、外部フラッシュ装置５０にＣＦ情報を露出直前フラッシュ通信により通信する（Ｓ１２１）。
【００９１】
露出直前フラッシュ通信ではＣＦ情報として、選択された発光モードＡ乃至Ｅに対応するコマンドを外部フラッシュ装置５０に送信する。発光モードＡ乃至Ｅに対応するコマンドは、以下のとおりである。
発光モードＡが選択されているとき、ＬＥＤ消灯とフラシュプリ発光のトリガを通信する。
発光モードＢが選択されているとき、フラッシュプリ発光のトリガを通信する。
発光モードＣが選択されているとき、ＬＥＤプリ発光（連続点灯）とフラッシュプリ発光のトリガを通信する。
発光モードＤが選択されているとき、ＬＥＤプリ発光とフラッシュプリ発光（１）のトリガを通信する。
発光モードＥが選択されているとき、ＬＥＤプリ発光とフラッシュプリ発光（２）のトリガを通信する。
【００９２】
以上のＣＦ情報を受信した外部フラッシュ装置５０は、受信したコマンドに応じて、図４（Ａ）乃至（Ｅ）に示した通りプリ発光動作するが、プリ発光動作の際、動作開始信号及び動作終了信号をカメラボディ１０に通信する。
【００９３】
一方、ＣＰＵ１３（測光部１３ｄ）は、外部フラッシュ装置５０から受信した動作開始信号及び動作終了信号に同期して、選択した発光モード（Ａ）乃至（Ｅ）に応じた測光動作により分割測光センサ２０及び測光回路１９を動作させて測光値（被写体輝度）を入力する（Ｓ１２２）。ＣＰＵ１３（演算部１３ｅ）は、入力した測光値に基づいて、撮像時の適正露出値と、選択した発光モードＡ乃至Ｅに応じたフラッシュ発光部９２とＬＥＤ発光部９３の本発光量、発光量比を演算する（Ｓ１２３）。
【００９４】
そしてＣＰＵ１３は、モータ制御回路１５を介してミラーモータ（不図示）を駆動してミラー（不図示）をアップさせ、絞り制御回路１７を介して撮影レンズ１００の絞り（図示せず）を設定された絞り値まで絞り込むミラーアップ・絞り制御処理を行う（Ｓ１２４）。
【００９５】
ＣＰＵ１３（発光制御部１３ｂ）は、ミラーアップ中に、ミラーアップ中フラッシュ通信処理を行って（Ｓ１２５）、ステップＳ１２３で演算したフラッシュ本発光量及びＬＥＤ本発光量を外部フラッシュ装置５０に伝達する。
【００９６】
ミラーアップ中フラッシュ通信では、選択された発光モードＡ乃至Ｅに対応する以下のデータを外部フラッシュ装置５０に送信する。
発光モードＡ及びＢが選択されているとき、フラッシュ発光部９２の本発光量を通信する。
発光モードＣ乃至Ｅが選択されているとき、ＬＥＤ発光部９３の本発光量（点灯強度）及びフラッシュ発光部９２の本発光量を通信する。
【００９７】
続いてＣＰＵ１３（発光制御部１３ｂ）は、シャッタ制御を開始する直前に外部フラッシュ装置５０に、選択された発光モードＡ乃至Ｅに応じたＬＥＤ発光部９３とフラッシュ発光部９２の本発光準備要求をシャッタ制御直前フラッシュ通信により通信する（Ｓ１２６）。
【００９８】
シャッタ制御直前フラッシュ通信では、選択された発光モードＡ乃至Ｅに対応する以下のデータを外部フラッシュ装置５０に送信する。
発光モードＡ乃至Ｃが選択されているとき、フラッシュ発光部９２の本発光準備要求コマンドを通信する。
発光モードＤまたはＥが選択されているとき、ＬＥＤ発光部９３の点灯準備要求及びフラッシュ発光部９２の本発光準備要求を通信する。
外部フラッシュ装置５０は、ＬＥＤ発光部９３の点灯準備要求を受信すると、ＬＥＤ発光部９３を先に受信した本発光量（点灯強度）で点灯させる。
【００９９】
ＣＰＵ１３は、撮像動作（露出処理）を開始する（Ｓ１２７）。ＣＰＵ１３は、撮像動作において、シャッタ制御回路１８を介してシャッタ幕を走行させ、イメージセンサ１４に撮像動作を開始させる。外部フラッシュ装置５０は、この撮像動作中に、選択された発光モードＡ乃至Ｅに応じて、設定された発光量比に応じた発光量と発光態様で、ＬＥＤ発光部９３を本発光（連続点灯）し、Ｘ接点信号を受けてフラッシュ発光部９２を本発光する。
【０１００】
ＣＰＵ１３は、撮像動作が終了したら、モータ制御回路１５を介してミラーモータ（不図示）を駆動させてミラーをダウンさせるとともに、シャッタチャージモータを介してシャッタチャージを行い（Ｓ１２８）、イメージセンサ１４から画像信号を読み出し、所定の画像信号処理を施して、メモリカード２２に記録し（Ｓ１２９）、発光制御部１３ｂが外部フラッシュ装置５０との間でフラッシュ通信してステップＳ１０２に戻る（Ｓ１３０、Ｓ１０２）。ステップＳ１２８、Ｓ１２９、Ｓ１３０の順番は問わない。
【０１０１】
ステップＳ１３１のフラッシュ通信では、発光モードＡが選択されているときにはＬＥＤ再点灯要求を通信し、外部フラッシュ装置５０にＬＥＤ発光部９３を点灯させる。発光モードＢが選択されているときにはＬＥＤ点灯消灯要求は通信しない。発光モードＣ乃至Ｅが選択されているときにはＬＥＤ消灯要求を外部フラッシュ装置５０に通信し、外部フラッシュ装置５０にＬＥＤ発光部９３を消灯させる。
【０１０２】
以上の実施形態では、フラッシュ発光部９２の本発光を先幕シンクロ設定としたが、後幕シンクロ設定など、他の設定でよい。
【０１０３】
図６は、発光モードＢが選択されているときにステップＳ１２３で実行されるフラッシュ発光量算出処理に関するフローチャートを示している。この処理は、ＣＰＵ１３と演算部１３ｅによる動作である。ＣＰＵ１３（演算部１３ｅ）は先ず、ＬＥＤ発光部９３を点灯（連続発光）させた状態で、フラッシュ発光部９２をプリ発光させて得た測光値と、フラッシュ発光部９２をプリ発光させない状態で得た測光値とから、フラッシュ発光部９２をプリ発光させて得られたフラッシュプリ発光測光値を算出する（Ｓ２０１）。
【０１０４】
続いてＣＰＵ１３は、算出したフラッシュプリ発光測光値から撮像時のフラッシュ本発光量を算出して、フラッシュ発光倍率ＭｖＦに代入してリターンする（Ｓ２０３：ＲＥＴ）。フラッシュ発光倍率ＭｖＦは、フラッシュ発光部９２を、プリ発光させたときのプリ発光量の何倍の光量で本発光させるかを決める倍率である。
【０１０５】
図７は、発光モードＢ乃至Ｅのいずれかが選択されているときにステップＳ１２３の本発光量演算処理で実行されるＬＥＤ発光量算出処理に関するフローチャートを示している。この処理は、ＣＰＵ１３と演算部１３ｅによる動作である。
【０１０６】
ＣＰＵ１３（演算部１３ｅ）は、定常光輝度とフラッシュ発光撮影用の露出値（Ｔｖ＋Ａｖ）の差分からさらに１Ｅｖ減算した値をＬＥＤ発光倍率ＭｖＬ′に代入する（Ｓ２１１）。定常光輝度とフラッシュ発光撮影用の露出値（Ｔｖ＋Ａｖ）の差分だけを求めると、ＬＥＤ発光部９３の発光成分のみで適正露出になってフラッシュ発光部９２によるフラッシュ発光が不要になり、フラッシュ効果が得られないので、ＬＥＤ発光部９３の発光量を１Ｅｖ減算して、フラッシュ発光部９２の発光量を１Ｅｖ分増加させている。ＬＥＤ発光倍率ＭｖＬ′の最小値は０を下限としている（Ｓ２１３）。そしてＣＰＵ１３は、現在の発光量（ＬＥＤプリ発光量）にＬＥＤ発光倍率ＭｖＬ′を加算した値を、ＬＥＤ発光倍率ＭｖＬに代入してリターンする（Ｓ２１５、ＲＥＴ）。
【０１０７】
定常光輝度とフラッシュ発光撮影用の露出値（Ｔｖ＋Ａｖ）の差分を現在のＬＥＤ発光量に加算したが、逆に定常光輝度とＬＥＤ点灯撮影用の露出値（Ｔｖ＋Ａｖ）の差分をフラッシュ発光量に加算してもよい。
【０１０８】
図８は、発光モードＥが選択されている場合のステップＳ１２３の本発光量演算処理の一部であるフラッシュ発光量算出処理に関するフローチャートを示している。この処理はＣＰＵ１３と測光部１３ｄ及び演算部１３ｅにより制御される動作であって、外部フラッシュ装置５０のフラッシュ発光部９２とＬＥＤ発光部９３のプリ発光量、プリ点灯量を測光して本発光量比を算出する。
【０１０９】
ＣＰＵ１３は、ＬＥＤ発光部９３がプリ点灯したときに測光し、ＬＥＤプリ発光測光値を算出し（Ｓ３０１）、算出したＬＥＤ発光量をＬＥＤ発光倍率ＭｖＬに代入する（Ｓ３０３）。
ＣＰＵ１３は、フラッシュ発光部９２がプリ発光したときに測光し、プリ発光測光値を算出し（Ｓ３０５）、算出したフラッシュプリ発光量をフラッシュ発光倍率ＭｖＦに代入する（Ｓ３０７）。
【０１１０】
ＣＰＵ１３は、撮影距離入力部２５が撮影距離情報を入力したか否かチェックし（Ｓ３０９）、撮影距離情報を入力していれば（Ｓ３０９：ＹＥＳ）、撮影距離情報に応じてフラッシュ発光部９２とＬＥＤ発光部９３の発光量を設定してリターンする（Ｓ３１１、ＲＥＴ）。本実施形態では、フラッシュ発光部９２とＬＥＤ発光部９３の発光量を、フラッシュ発光部９２の発光倍率ＭｖＦとＬＥＤ発光部９３の発光倍率ＭｖＬの比（ＭｖＦ：ＭｖＬ）により設定する。撮影距離が１ｍ以下の場合は、発光量の比を  ＭｖＦ：ＭｖＬ＝８：１に設定し、撮影距離が５．６ｍ以上の場合は、ＭｖＦ：ＭｖＬ＝２：１に設定し、撮影距離が１ｍを超え５．６ｍ未満の場合は、撮影距離に応じてＭｖＦ：ＭｖＬ＝８：１から２：１の間で連続的または段階的に変えて設定する。
【０１１１】
ＣＰＵ１３は、ステップＳ３０９の撮影距離情報チェックにおいて、撮影距離情報が無いと判定した場合（Ｓ３０９：ＮＯ）、フラッシュ発光部９２とＬＥＤ発光部９３の発光量をＭｖＦ：ＭｖＬ＝２：１の固定値に設定してリターンする（Ｓ３１３、ＲＥＴ）。
【０１１２】
本実施形態におけるフラッシュ発光部９２とＬＥＤ発光部９３の発光量となる発光倍率の比（ＭｖＦ：ＭｖＬ）は、人物撮影に適するように設定していて、撮影距離が１ｍ以下の場合は顔撮影に適するように設定し、撮影距離が５．６ｍ以上の場合は集合写真に適するように設定し、撮影距離が１ｍを超え５．６ｍ未満の場合はバストアップないし数人のグループ写真に適するように撮影距離に応じて設定している。
【０１１３】
また、撮影モードがキャッチライトの場合、キャッチライト撮影は人物撮影を想定しているため、近距離においてＬＥＤ光成分が多いと、人物の顔を直接照明するＬＥＤ光の影響が大きくなり過ぎて陰影の乏しい画像になるので、ＬＥＤ発光部９３の発光量比を下げて陰影が出るように調整する。本実施形態の発光倍率比は撮影距離に応じて設定しているが、撮影倍率に応じて設定してもよい。
【０１１４】
図９は、プリ発光測光値算出処理に関するフローチャートを示している。この処理は、ＣＰＵ１３と測光部１３ｄ及び演算部１３ｅにより制御される動作であって、ステップＳ３０１、Ｓ３０５のプリ発光測光値算出処理の詳細であって、フラッシュ発光部９２単独のプリ発光輝度、ＬＥＤ発光部９３単独のプリ点灯輝度、定常光のみ（プリ発光及びプリ点灯していない状態）の被写体輝度を算出する。
【０１１５】
プリ発光測光値算出処理を開始すると、先ず、Ｎ分割の各分割測光センサ２０によりプリ発光量を測光するために、各測光素子（ｎ）の番号に対応する測光素子ナンバーｎに初期値である１を代入する（Ｓ４０１）。ｎは１乃至９の整数である。測光素子ナンバーｎがＮ以下であるか否か（Ｓ４０３）、つまりＮ個の測光素子２０（ｎ）全てについてプリ発光測光値算出したか否かチェックする。ｎがＮ以下であれば（Ｓ４０３：ＹＥＳ）、ｎ番目（測光素子ナンバーｎ）の測光素子（ｎ）から定常光測光値を取得して、ｎ番目の輝度Ｂｖ（ｎ）に代入し（Ｓ４０５）、ｎ番目のプリ発光値（ｎ）を取得して、プリ発光値Ｂｐｒｅ（ｎ）に代入する（Ｓ４０７）。
【０１１６】
以上の輝度Ｂｖ（ｎ）及びプリ発光値Ｂｐｒｅ（ｎ）からプリ発光輝度Ｂｖｐ（ｎ）を下記式：
Ｂｖｐ（ｎ）＝ｌｎ（２Bpre(n)−２Bv(n)）／ｌｎ２
により算出する（Ｓ４０９）。
ステップＳ４０９では、プリ発光測光成分から定常光（環境光）成分を除去して、プリ発光輝度Ｂｖｐ（ｎ）を得ている。
【０１１７】
次に、測光素子ナンバーｎを１インクリメントして、ステップＳ４０３に戻り（Ｓ４１１、Ｓ４０３）、Ｎ個（９個）の測光素子２０（ｎ）の測光値について、本発光輝度を算出する。Ｎ個（９個）の測光素子２０（ｎ）の測光値に基づいてプリ発光輝度Ｂｖｐ（ｎ）を算出したら（Ｓ４０３：ＮＯ）、リターンする（ＲＥＴ）。
【０１１８】
図１０は、フラッシュ本発光量算出処理に関するフローチャートを示している。フラッシュ本発光量算出処理を開始すると、先ず、撮影距離情報Ｄｖがあるか否かチェックする（Ｓ５０１）。撮影距離情報Ｄｖがある場合（Ｓ５０１：ＹＥＳ）は、バウンスなしか否かチェックする（Ｓ５０３）。バウンス無しと判定した場合（Ｓ５０３：ＹＥＳ）は、基準反射率の被写体にプリ発光した場合の基準プリ発光輝度Ｂｖｐｃを式：
Ｂｖｐｃ＝Ｋｓ−Ａｖｍｉｎ−Ｄｖ
により算出する（Ｓ５０５）。
ここで、Ａｖｍｉｎは撮影レンズの開放Ｆ値であり、Ｋｓは式：Ｋｓ＝Ｂｖｐｓ＋Ｄｖｓ  により求められる定数である。なお、Ｄｖｓは基準の距離（アペックス表示の値）であり、Ｂｖｐｓは基準の距離Ｄｖｓにおいて基準反射率の被写体にプリ発光強度ＰｒｅＰ＝１でプリ発光した場合の被写体輝度であり、Ｂｖｐｓ−Ａｖｍｉｎ  は、プリ発光時の被写体輝度が上述のＢｖｐｓであるときに、分割測光センサ２０で測光される基準のプリ発光輝度である。
【０１１９】
一方、撮影距離情報が無いとき（Ｓ５０１：ＮＯ）、撮影距離情報があっても（Ｓ５０１：ＹＥＳ）、バウンス無しと判定しなかったとき（Ｓ５０３：ＮＯ）、撮影距離情報Ｄｖを用いずに基準プリ発光輝度Ｂｖｐｃを算出する（Ｓ５０７、Ｓ５０９）。すなわち、分割測光センサ２０の各測光素子２０（ｎ）のプリ発光輝度Ｂｖｐ（ｎ）（測光素子ナンバーｎ：１〜９）の中から最大プリ発光輝度Ｂｖｐ（ｎ）ｍａｘを抽出し、その最大プリ発光輝度Ｂｖｐ（ｎ）ｍａｘとの輝度差が３（ないし２．５）Ｅｖ以内となる分割測光センサ２０の測光素子ナンバーｎをＣＰＵ１３内のレジスタＸ（図示せず）にメモリする（Ｓ５０７）。
Ｘ←（Ｂｖｐ（ｎ）−Ｂｖｐ（ｎ））＜３
この輝度差は、イメージセンサ１４のラチチュード（ダイナミックレンジ）に相当するアペックス表示のＥｖ値であって、一般的には、２．５乃至３Ｅｖである。銀塩フィルムでは、ネガフィルムが５Ｅｖ、ポジフィルムが３Ｅｖ程度である。なお、プリ発光輝度Ｂｖｐと輝度差Ｅｖはアペックス表示の値である。
【０１２０】
そして、ステップＳ５０７でレジスタＸにメモリされた測光素子ナンバーに対応するプリ発光輝度Ｂｖｐ（ｘ）の中から最大プリ発光輝度Ｂｖｐ（ｘ）ｍａｘと最小プリ発光輝度Ｂｖｐ（ｘ）ｍｉｎを抽出し、基準プリ発光輝度Ｂｖｐｃを式：
Ｂｖｐｃ＝（Ｂｖｐ（ｘ）ｍａｘ＋Ｂｖｐ（ｘ）ｍｉｎ）／２
により求める（Ｓ５０９）。
なお、上記抽出した最大プリ発光輝度Ｂｖｐ（ｘ）ｍａｘと最小プリ発光輝度Ｂｖｐ（ｘ）ｍｉｎは、Ｓ５０７の処理によりイメージセンサ１４のダイナミックレンジに入る範囲となっている。またＳ５０９で条件を満たす最小プリ発光輝度Ｂｖｐ（ｘ）ｍｉｎがない場合には、基準プリ発光輝度Ｂｖｐｃ＝最大プリ発光輝度Ｂｖｐ（ｘ）ｍａｘとする。
【０１２１】
基準プリ発光輝度Ｂｖｐｃを算出したら、高反射率または基準距離よりもはるかに近距離の被写体、低反射率の被写体または基準距離よりもはるかに遠距離の被写体を除外するため、基準プリ発光輝度Ｂｖｐｃとの輝度差が±２Ｅｖ以内となる分割測光センサ２０の測光素子ナンバーｎを抽出し、ＣＰＵ１３内のＹレジスタ（図示せず）にメモリする（Ｓ５１１）。
【０１２２】
そしてＹレジスタに測光素子ナンバーｎがメモリされているとき（Ｓ５１３：ＹＥＳ）、Ｙレジスタにメモリされた測光素子（ｎ）に対応するプリ発光輝度Ｂｖｐ（ｙ）の平均値を求め、その平均値を演算プリ発光輝度（平均プリ発光輝度）Ｂｖｐｔｙｐにメモリする（Ｓ５１７）。Ｙレジスタに何もメモリされていないときには（Ｓ５１３：ＮＯ）、ステップＳ５０９で求めた基準プリ発光輝度Ｂｖｐｃを演算プリ発光輝度Ｂｖｐｔｙｐとしてメモリする（Ｓ５１５）。
【０１２３】
そして、発光倍率（発光量）Ｍｖを式：
Ｍｖ＝Ｔｖ＋Ａｖ＋Ａｖｃ−Ｓｖ−Ｂｖｐｔｙｐ−Ａｖｍｉｎ
により算出してリターンする（Ｓ５１９、ＲＥＴ）。
ここで、Ｔｖは適正シャッタ速度（但し、シャッタ速度Ｔｖがフラッシュ同調速度Ｔｖｘ未満のときはＴｖ＝Ｔｖｘ）、Ａｖは適正絞り値、Ａｖｃは測光補正値、ＳｖはＩＳＯ感度、Ａｖｍｉｎは最小絞り値であって、これらはアペックス表示の値である。
【０１２４】
以上算出された発光倍率Ｍｖは、カメラボディ１０から外部フラッシュ装置５０にミラーアップ中フラッシュ通信により通信される。外部フラッシュ５０は、発光倍率Ｍｖを受信すると、プリ発光光量のＭｖ倍で本発光する。
【０１２５】
以上、本発明の撮影装置をデジタル一眼レフカメラに適用した実施形態について説明したが、本発明は、ミラーレスのデジタル一眼レフカメラ、コンパクトデジタルカメラに適用することも可能である。これらのカメラはミラーが無いので、露出直前フラッシュ通信、ミラーアップ中フラッシュ通信、シャッタ制御直前フラッシュ通信は、時間管理等により逐次実行する。
【０１２６】
以上、本実施形態では、フラッシュ発光部９２及びＬＥＤ発光部９３をカメラボディ１０とは別体の外部フラッシュ装置５０に設けたが、フラッシュ発光部９２及びＬＥＤ発光部９３の双方またはいずれか一方をカメラボディ１０に設けてもよい。フラッシュ発光部９２及びＬＥＤ発光部９３をカメラボディに設ける場合、フラッシュ発光部はカメラボディから出没可能に設け、ＬＥＤ発光部はカメラボディの前面に設けることができる。
本実施形態では、連続発光可能な連続発光部の光源としてＬＥＤを使用したが、連続点灯及び短時間（例えば数ミリないし数十ミリ秒以内）で点灯／消灯可能な光源であれば、ＬＥＤに限定されない。
【符号の説明】
【０１２７】
１  ５１  電池
２  レギュレータ
３  ５３  ７３  コンデンサ
４  フラッシュ接続端子（Ｃ、Ｒ、Ｑ、Ｘ、Ｇ）
５  表示素子
６  ６０  ＥＥＰＲＯＭ
７  レンズ通信インタフェース
８  フラッシュ通信インタフェース（通信部）
９  ６３  情報設定スイッチ群
１０  カメラボディ
１３  ＣＰＵ（記録部）
１３ａ  ＲＡＭ
１３ｂ  発光制御部
１３ｃ  発光モード選択部
１３ｄ  測光部
１３ｅ  演算部
１４  イメージセンサ（撮像部）
１５  モータ制御回路
１６  ＡＦ回路
１７  絞り制御回路
１８  シャッタ制御回路
１９  測光回路（測光部）
２０  分割測光センサ（測光部）
２０（ｎ）  測光素子
２２  メモリカード（記録部）
２５  撮影距離入力部
２６  焦点距離入力部
２７  アクセサリーシュー
５０  外部フラッシュ装置
５２  ショットキーダイオード
５４  レギュレータ
５５  発光ユニット
５６  カメラ接続端子（Ｃ、Ｒ、Ｑ、Ｘ、Ｇ）
５７  ワイヤレス受光素子
５８  ワイヤレス受光回路
５９  カメラ通信インタフェース（通信部）
６１  ズームモータ
６２  モータドライブ回路
６５  フラッシュＣＰＵ
６６  昇圧回路
６９  充電検出回路
７０  ＬＥＤ駆動回路
７１  ＬＥＤ（連続発光部）
７２  ＬＣＤ表示器
７４  ７６  抵抗
７５  コンパレータ
７７  ３０Ｖ発生回路
７８  レベルシフト回路
７９  メインコンデンサ
８０  トリガ回路
８１  コイル
８２  キセノン（Ｘｅ）管（フラッシュ発光部）
８３  ＩＧＢＴ
８５  発光量検出測光素子
９１  本体部
９２  フラッシュ発光部
９３  ＬＥＤ発光部（連続発光部）
９４  バウンス機構
９５  装着部
ＳＷＳ  測光スイッチ（第１スイッチ）
ＳＷＲ  レリーズスイッチ（第２スイッチ）
【図１】
2015191000.tif 000003
【図２】
2015191000.tif 000004
【図３】
2015191000.tif 000005
【図４】
2015191000.tif 000006
【図５】
2015191000.tif 000007
【図６】
2015191000.tif 000008
【図７】
2015191000.tif 000009
【図８】
2015191000.tif 000010
【図９】
2015191000.tif 000011
【図１０】
2015191000.tif 000012